(57)【要約】【課題】光源の異常の原因究明を有効に支援する機能を備えた投写型表示装置を提供すること。【解決手段】投写型表示装置１は、装置内の温度を検出する温度センサ２１，２２と、不揮発性のメモリ３２と、マイクロコンピュータ３１とを備える。マイクロコンピュータ３１は、光源１１の累積点灯時間を計時し、温度センサ２１，２２の検出温度を、その温度が検出されたときの累積点灯時間を特定可能な形式でメモリ３２に記録する。これにより、光源１１への給電が停止されるときの温度と累積点灯時間とが対応付けられた給電停止データ４１、光源１１の異常が検出されたときの温度と累積点灯時間とが対応付けられたランプ異常データ４２、累積点灯時間が予め定められた時間を経過するごとの温度を含む定時データ４４、及び温度センサ２２の検出温度が予め定められた条件を満たすごとの温度と累積点灯時間とが対応付けられた温度異常データ４３などが記録される。【選択図】図１
2012141482.tif 000002
【特許請求の範囲】
【請求項１】
光源と、該光源の光から生成された映像光を投射する光学素子と、を備える投写型表示装置であって、
装置内の温度を検出する温度センサと、
前記光源の累積点灯時間を計時する計時部と、
不揮発性メモリと、
前記温度センサの検出温度をその温度が検出されたときの前記累積点灯時間を特定可能な形式で前記不揮発性メモリに記録する温度記録部と、を備えることを特徴とする投写型表示装置。
【請求項２】
前記温度記録部は、前記光源に対する給電が停止されるときの前記温度センサの検出温度と前記累積点灯時間とを相互に対応付けて前記不揮発性メモリに記録する第一温度記録部を含む、請求項１に記載の投写型表示装置。
【請求項３】
前記光源の異常を検出する異常検出部をさらに備え、
前記温度記録部は、前記光源の異常が検出されたときの前記温度センサの検出温度と前記累積点灯時間とを相互に対応付けて前記不揮発性メモリに記録する第二温度記録部を含む、請求項１又は請求項２に記載の投写型表示装置。
【請求項４】
前記温度記録部は、前記累積点灯時間が予め定められた時間を経過するごとの前記温度センサの検出温度を、その温度が検出されたときの前記累積点灯時間を特定可能な形式で前記不揮発性メモリに記録する第三温度記録部を含む、請求項１から請求項３のいずれかに記載の投写型表示装置。
【請求項５】
前記温度記録部は、前記温度センサの検出温度が予め定められた条件を満たすごとの前記温度センサの検出温度と前記累積点灯時間とを相互に対応付けて前記不揮発性メモリに記録する第四温度記録部を含む、請求項１から請求項４のいずれかに記載の投写型表示装置。
【請求項６】
前記温度センサは、
装置内における外気の入口の部分の温度を検出する第一温度センサと、
装置内における空気の出口の部分もしくは前記光源の周辺部の温度を検出する第二温度センサと、を含む、請求項１から請求項５のいずれかに記載の投写型表示装置。
【発明の詳細な説明】
【技術分野】
【０００１】
本発明は、光源の光から生成された映像光を投射することにより映像を表示する投写型表示装置に関し、特に、光源の異常の原因究明を支援する機能を備えた投写型表示装置に関する。
【背景技術】
【０００２】
投写型表示装置は、光源の光を映像信号に基づいて変調もしくはスイッチングし、それにより得られた映像光をスクリーンなどの被投影面へ投射することにより映像を表示する装置である。そのため、投写型表示装置は、光源と、映像信号に基づいて光源の光を映像光へ変換する機器と、映像光をスクリーンなどの被投影面へ投射する光学素子とを備える。また、光源の光から映像光を生成する方式として、ＤＭＤ（Digital Micromirror Device）方式及び液晶方式などが存在する。
【０００３】
投写型表示装置は、映像光を拡大して離れた被投影面へ投射するため、高輝度の高圧水銀ランプを光源として備えることが多い。高圧水銀ランプなどの高出力の光源は、点灯しているときにバルブの部分において高温になる。また、高圧水銀ランプは、温度が高くなり過ぎると黒く変色する、もしくは破裂することがあり、温度が低くなり過ぎると、フリッカーなどの故障が生じやすくなることが知られている。そのため、投写型表示装置は、光源の温度を適正な範囲内に維持するため、光源を強制的に空冷するファンを備えている。
【０００４】
また、投写型表示装置の光源は、点灯時間が長くなるにつれて経時的に劣化する消耗品であるため、交換可能に取り付けられている。
【０００５】
即ち、投写型表示装置の光源の異常は、点灯中の温度及び累積点灯時間と深い因果関係がある。そして、光源が、寿命を全うして異常状態に至ったのか、或いは他の原因で異常状態に至ったのかを管理することは、投写型表示装置の提供者にとって非常に重要である。
【０００６】
例えば、特許文献１に示される投写型表示装置は、製品番号、対応機種、製造番号、メンテナンスに関する経歴及び光源の使用時間などの管理情報をメモリに記録する機能を備えている。その管理情報は、使用不可の状態に至った光源が、寿命時間に至るまで使用されたのか否かを把握することに寄与する。
【先行技術文献】
【特許文献】
【０００７】
【特許文献１】特許第３４４６９１２号公報
【発明の概要】
【発明が解決しようとする課題】
【０００８】
しかしながら、従来の投写型表示装置は、光源の累積点灯時間が寿命時間に至る前に光源の異常が生じた場合に、原因の特定を有効に支援する機能を備えていないという問題点を有している。そのため、光源の異常の原因を究明するために、様々な使用条件の下での再現試験の実施、及び異常が生じた光源そのものに対する事後的な解析など、多大な時間及び労力を伴う作業が必要となる。
【０００９】
本発明の目的は、光源の異常の原因究明を有効に支援する機能を備えた投写型表示装置を提供することにある。
【課題を解決するための手段】
【００１０】
本発明に係る投写型表示装置は、光源と、光源の光から生成された映像光を投射する光学素子とを備え、さらに、以下の各構成要素を備える。
（１）第１の構成要素は、装置内の温度を検出する温度センサである。
（２）第２の構成要素は、光源の累積点灯時間を計時する計時部である。
（３）第３の構成要素は、不揮発性メモリである。
（４）第４の構成要素は、温度センサの検出温度をその温度が検出されたときの累積点灯時間を特定可能な形式で不揮発性メモリに記録する温度記録部である。
【発明の効果】
【００１１】
本発明に係る投写型表示装置においては、光源の異常と深い因果関係がある装置内の温度の履歴が、その温度が検出されたときの累積点灯時間に対応する状態で不揮発性メモリに記録される。そのため、不揮発性メモリに記録された情報は、光源の異常の原因究明に大きく寄与する。例えば、不揮発性メモリの情報は、光源の異常の原因が、定格点灯時間を超える点灯時間にあるのか、又は点灯中の温度条件にあるのかの識別に寄与する。即ち、本発明において、不揮発性メモリに装置内の温度を記録する機能は、光源の異常の原因究明を有効に支援する機能である。
【図面の簡単な説明】
【００１２】
【図１】本発明の実施形態に係る投写型表示装置１の主要部のブロック図である。
【図２】投写型表示装置１が実行する温度記録処理の手順の一例を示すフローチャートである。
【図３】投写型表示装置１が不揮発性メモリに記録する温度履歴データの一部である給電停止データの構成を示す図である。
【図４】投写型表示装置１が不揮発性メモリに記録する温度履歴データの一部であるランプ異常データの構成を示す図である。
【図５】投写型表示装置１が不揮発性メモリに記録する温度履歴データの一部である温度異常データの構成を示す図である。
【図６】投写型表示装置１が不揮発性メモリに記録する温度履歴データの一部である定時データの構成を示す図である。
【図７】定時データの具体例を示す図である。
【発明を実施するための形態】
【００１３】
以下、添付の図面を参照しながら、本発明の実施形態について説明する。以下の実施形態は、本発明を具体化した一例であり、本発明の技術的範囲を限定する事例ではない。
【００１４】
＜装置の構成＞
まず、図１を参照しつつ、本発明の実施形態に係る投写型表示装置１の主要な構成について説明する。投写型表示装置１は、光源の光を映像信号に基づいて変調もしくはスイッチングし、それにより生成された映像光をスクリーンなどの被投影面へ投射することにより映像を表示する装置である。図１に示されるように、投写型表示装置１は、光源であるランプ１１、集光レンズ１２，１５、カラーホイール１３、ライトパイプ１４、表示デバイス１６、投写レンズ１７、温度センサ２１，２２、吸気ファン２３、排気ファン２４、マイクロコンピュータ３１、メモリ３２、ランプ電源回路３３、映像入力回路３４及び操作部３５を備えている。
【００１５】
＜集光レンズ＞
集光レンズ１２は、ランプ１１の出射光をカラーホイール１３の一部に集光する。また、集光レンズ１５は、ライトパイプ１４から出力される光束を表示デバイス１６の受光部へ集光する。
【００１６】
＜ランプ＞
ランプ１１は、映像光の元となる光を出射する光源であり、例えば、高圧水銀ランプである。ランプ１１は、ソケットに対して取り外し可能に取り付けられている。これにより、消耗品であるランプ１１は交換可能に構成されている。
【００１７】
＜カラーホイール＞
カラーホイール１３は、ランプ１１の出射光を時分割で複数の色の光へ変換する装置である。カラーホイール１３は、それぞれ異なる色のフィルタが円周方向に沿って配列された円盤状の部材である。そして、カラーホイール１３は、モータによって回転駆動されることにより、複数のフィルタ各々が、順次、ランプ１１の光の経路上に移動する。これにより、カラーホイール１３を通過した光は、モータの回転速度に応じた周期で順次異なる色に切り替わる。
【００１８】
カラーホイール１３のフィルタは、例えば、赤、緑、青及び白の４色のフィルタを含む。その他、カラーホイール１３のフィルタが、赤、緑及び青の３色のフィルタである場合、又は、イエロー、シアン及びマゼンタなどの複数の補色のフィルタである場合も考えられる。カラーホイール１３が採用されることにより、複数の色の光源を個別に設ける必要がなくなる。
【００１９】
＜ライトパイプ＞
ライトパイプ１４は、カラーホイール１３からの光束を、その断面における強度を均一化する光学素子である。ライトパイプ１４は、四角形の断面を有する角筒状に形成され、内側に光の反射面が形成された光学素子である。ライトパイプ１４により均一化された光束は、集光レンズ１５を通過して表示デバイス１６へ入力される。
【００２０】
＜映像入力回路＞
映像入力回路３４は、外部から映像信号を入力し、その映像信号を表示デバイス１６へ伝送する回路である。また、映像入力回路３４は、必要に応じて、入力された映像信号に各種の補正処理を施す機能も備えている。
【００２１】
＜表示デバイス＞
表示デバイス１６は、映像入力回路３４を通じて入力される映像信号に基づいて、入射された光を変調もしくはスイッチングすることにより映像光を生成する光学デバイスである。投写型表示装置１がＤＭＤ方式の装置である場合、ＤＭＤが表示デバイス１６として採用される。
【００２２】
ＤＭＤは、映像信号のピクセル各々に対応する可動式の複数の微小ミラーを備えている。また、ＤＭＤは、複数の微小ミラー各々の向きを、カラーホイール１３による光の色の切り替え周波数よりも十分に大きな周波数で変更することができる。そして、ＤＭＤは、カラーホイール１３による光の色の切り替え周期に同期して、ピクセルごとに、映像信号の各ピクセルにおける各色の輝度に応じて、各色の光を投写レンズ１７に向けて反射する時間帯とそれ以外の時間帯との比率を調節する。これにより、ＤＭＤから投写レンズ１７へ向かう反射光は、映像信号に対応した映像光となる。
【００２３】
また、投写型表示装置１が液晶方式の装置である場合、表示デバイス１６は、透過型もしくは反射型の液晶パネルにより構成される。なお、表示デバイス１６が液晶パネルである場合、ランプ１１の出射光がダイクロイックミラーなどによって３原色の光に分光され、分光により得られた３原色の光が表示デバイス１６へ入力されることが多い。
【００２４】
＜投写レンズ＞
投写レンズ１７は、表示デバイス１６から出力される映像光を拡大しつつスクリーンなどの被投影面へ投射する光学素子である。
【００２５】
＜温度センサ＞
温度センサ２１，２２は、投写型表示装置１の筐体内部の温度を検出するセンサであり、例えば、サーミスタなどである。温度センサ２１，２２の検出信号は、マイクロコンピュータ３１へ入力される。
【００２６】
本実施形態においては、温度センサ２１，２２には、第一温度センサ２１及び第二温度センサ２２が含まれる。第一温度センサ２１は、装置内における吸気口の部分の温度を検出する吸気温度センサである。また、第二温度センサ２２は、装置内における排気口の部分もしくはランプ１１の周辺部の温度を検出するセンサである。
【００２７】
なお、吸気口は、投写型表示装置１の筐体に形成された貫通孔であり、外気の入口である。また、排気口は、投写型表示装置１の筐体に形成された貫通孔であり、空気の出口である。
【００２８】
以下、第一温度センサ２１の検出温度を第一温度もしくは吸気温度と称し、第二温度センサ２２の検出温度を第二温度もしくはランプ温度と称する。第一温度は、通常、投写型表示装置１が設置されている環境の温度に相当する。また、投写型表示装置１において、最も高温になる部分はランプ１１である。そのため、第二温度は、ランプ１１の温度もしくはランプ１１の温度と相関の高い温度である。
【００２９】
＜ファン＞
吸気ファン２３は、吸気口の内側の位置に配置され、外気を強制的に装置内へ吸引するファンである。一方、排気ファン２４は、排気口の内側の位置に配置され、装置内の空気を強制的に装置外へ排出するファンである。
【００３０】
＜操作部＞
操作部３５は、投写型表示装置１に対するユーザの操作入力を検出する回路である。例えば、操作部３５は、スイッチ又はタッチパネルなどにより構成され、映像出力のＯＮ／ＯＦＦを切り替える操作などを検出する。また、操作部３５は、操作ボタン及びその操作ボタンに対する操作に対応した無線信号を送信する回路を備えたリモート操作器と、その無線信号を受信してマイクロコンピュータ３１へ伝送する無線受信回路とにより構成される場合もある。操作部３５によって検出された操作信号は、マイクロコンピュータ３１に入力される。
【００３１】
＜マイクロコンピュータ＞
マイクロコンピュータ３１は、投写型表示装置１が備える各機器を制御するプロセッサである。例えば、マイクロコンピュータ３１は、第一温度に応じて吸気ファン２３及び排気ファン２４の回転速度を調節する。より具体的には、マイクロコンピュータ３１は、第一温度が予め定められた適正範囲を超えた場合に、吸気ファン２３及び排気ファン２４の回転速度をアップさせ、第一温度が予め定められた適正範囲を下回った場合に、吸気ファン２３及び排気ファン２４の回転速度をダウンさせる。
【００３２】
また、マイクロコンピュータ３１は、操作部３５によって映像出力のＯＮ／ＯＦＦの操作が検出された場合に、その操作に対応した信号であるランプ給電開始信号又はランプ給電停止信号をランプ電源回路３３へ出力する。
【００３３】
吸気ファン２３及び排気ファン２４の回転速度の制御により、ランプ１１の黒色化及び破裂、並びにランプ１１のフリッカーなどの不具合が防止される。
【００３４】
なお、マイクロコンピュータ３１が、第二温度のレベルに応じて吸気ファン２３及び排気ファン２４の回転速度を調節することも考えられる。また、マイクロコンピュータ３１が、第一温度及び第二温度の少なくとも一方が各々の適正範囲を逸脱したときに吸気ファン２３及び排気ファン２４の回転速度を調節することも考えられる。
【００３５】
＜メモリ＞
メモリ３２は、マイクロコンピュータ３１によるデータの書き込み及び読み出しが可能な不揮発性メモリであり、例えば、ＥＥＰＲＯＭなどである。
【００３６】
＜ランプ電源回路＞
ランプ電源回路３３は、ランプ１１に対する給電を制御する回路である。より具体的には、ランプ電源回路３３は、ランプ給電開始信号がマイクロコンピュータ３１から入力された場合に、ランプ１１に対して電流を供給し、ランプ１１を点灯させる。また、ランプ電源回路３３は、ランプ給電停止信号がマイクロコンピュータ３１から入力された場合に、ランプ１１に対する電流の供給を停止し、ランプ１１を消灯させる。
【００３７】
また、ランプ電源回路３３は、ランプ１１の異常を検出する機能も備えている。例えば、ランプ電源回路３３は、ランプ１１に供給される電流を検出する電流検出素子３３１を備える。そして、ランプ電源回路３３は、ランプ１１に対する給電中に、電流検出素子３３１が予め定められた許容範囲を逸脱する電流値を検出した場合に、ランプ１１が異常であると判定する。ランプ１１が異常である旨の信号は、マイクロコンピュータ３１に入力される。なお、ランプ電源回路３３は、ランプ１１の異常を検出する異常検出部の一例である。
【００３８】
＜温度記録処理＞
次に、図２に示されるフローチャートを参照しつつ、投写型表示装置１のマイクロコンピュータ３１が実行する温度記録処理の手順の一例について説明する。図２に示される温度記録処理は、ランプ１１が点灯されたとき、即ち、マイクロコンピュータ３１がランプ電源回路３３に対してランプ給電開始信号を出力したときに開始される。なお、以下の説明において、Ｓ１からＳ１０は、処理の手順の識別符号である。
【００３９】
＜ステップＳ１＞
温度記録処理において、まず、マイクロコンピュータ３１は、ランプ１１の点灯が開始されてからの経過時間の計時を開始する（Ｓ１）。これ以後、マイクロコンピュータ３１は、ランプ電源回路３３に対してランプ給電停止信号を出力するまで時間の計時を継続する。
【００４０】
＜ステップＳ２−Ｓ６＞
次に、マイクロコンピュータ３１は、ランプ１１への給電の停止条件が成立したか否かを判別する処理を実行する（Ｓ２−Ｓ４）。本実施形態においては、ランプ１１への給電の停止条件は、次の３つである。第１停止条件は、映像出力ＯＦＦの操作が検知されたことである。第２停止条件は、ランプ電源回路３３によってランプ１１の異常が検知されたことである。第３停止条件は、第二温度が予め定められた許容範囲を逸脱した状態である温度異常が検知されたことである。マイクロコンピュータ３１は、第１停止条件の判別（Ｓ２）、第２停止条件の判別（Ｓ３）及び第３停止条件の判別（Ｓ４）を行う。
【００４１】
第３停止条件は、例えば、吸気口又は排気口が塞がれてしまった場合、吸気ファン２３もしくは排気ファン２４が故障した場合、或いは投写型表示装置１が許容範囲を逸脱する温度の環境に設置されている場合などに成立する。
【００４２】
そして、マイクロコンピュータ３１は、ランプ１１への給電の停止条件のうちの少なくとも１つが成立した場合、そのときの第一温度及び第二温度と、その時点までのランプ１１の累積点灯時間とが対応付けられたデータをメモリ３２に記録する（Ｓ５）。
【００４３】
さらに、マイクロコンピュータ３１は、ランプ電源回路３３に対してランプ給電停止信号を出力することにより、ランプ１１に対する給電を停止し、ランプ１１を消灯させる。これにより、当該温度記録処理は終了する。
【００４４】
＜給電停止の際に記録されるデータ＞
以下、図３から図５に示されるデータ構成図を参照しつつ、累積点灯時間の計時方法と、ステップＳ５においてメモリ３２に記録されるデータについて説明する。
【００４５】
まず、第１停止条件から第３停止条件のいずれが成立した場合でも、マイクロコンピュータ３１は、図３に示される給電停止データ４１をメモリ３２に記録する。
【００４６】
給電停止データ４１は、ランプ１１への給電の停止条件が成立したとき、即ち、ランプ１１に対する給電が停止されるときのランプ１１の累積点灯時間４１１と、そのときに第一温度センサ２１及び第二温度センサ２２によって検出される第一温度４１２及び第二温度４１３とが対応付けられたデータである。
【００４７】
給電停止データ４１は、ランプ１１に対する給電が停止されるときに、最新のデータのみがメモリ３２に残される。但し、ランプ１１が交換されるときに、給電停止データ４１は初期化される。また、給電停止データ４１における累積点灯時間４１１の初期値は、０時間に相当する値である。
【００４８】
そして、マイクロコンピュータ３１は、ステップＳ１で開始された処理により得られるランプ１１の今回の点灯時間と、前回の給電停止の際に給電停止データ４１に含めて記録された累積点灯時間４１１とを随時加算することにより、最新の累積点灯時間を算出する。このように、マイクロコンピュータ３１は、前回のランプ１１の消灯時の累積点灯時間と、今回のランプ１１の点灯時間との加算により、最新の累積点灯時間４１１を計時する。なお、そのような計時を行うマイクロコンピュータ３１は、ランプ１１の累積点灯時間を計時する計時部の一例である。
【００４９】
また、マイクロコンピュータ３１は、ステップＳ５において、ランプ１１に対する給電の停止条件が成立したときに算出される累積点灯時間を、給電停止データ４１の累積点灯時間４１１としてメモリ３２に記録する。
【００５０】
なお、ステップＳ５において給電停止データ４１を記録する処理を行うマイクロコンピュータ３１は、ランプ１１に対する給電の停止（Ｓ６）が実行されるときに温度を記録する第一温度記録部の一例である。さらに、同処理を行うマイクロコンピュータ３１は、ステップＳ３においてランプ１１の異常が検出されたときに温度を記録する第二温度記録部の一例でもある。
【００５１】
ステップＳ３において、第２停止条件が成立した場合、即ち、ランプ１１の異常が検知された場合、マイクロコンピュータ３１は、図４に示されるランプ異常データ４２をメモリ３２に記録する。
【００５２】
ランプ異常データ４２は、ランプ１１の異常が検知されたときのランプ１１の累積点灯時間４２１と、そのときに第一温度センサ２１及び第二温度センサ２２によって検出される第一温度４２２及び第二温度４２３とが対応付けられたデータである。
【００５３】
ランプ異常データ４２は、ランプ１１の異常が検知されたときに、最新のデータのみがメモリ３２に残される。但し、ランプ１１が交換されるときに、ランプ異常データ４２は初期化される。なお、ステップＳ５においてランプ異常データ４２を記録する処理を行うマイクロコンピュータ３１は、第二温度記録部の一例である。
【００５４】
ところで、ランプ１１の異常が正しく検知された場合、通常は、給電停止データ４１及びランプ異常データ４２が常に同じデータとなる。さらに、ランプ１１は交換され、両データは初期化される。そのため、ランプ異常データ４２の記録が省略され、給電停止データ４１が、ランプ異常データ４２の代わりに利用されるてもよい。
【００５５】
一方、ランプ１１の異常が、兆候の段階で早期に検知されること、或いは、ランプ１１の異常が、ランプ電源回路３３の誤動作によって検知されてしまうことなどが考慮される場合、給電停止データ４１及びランプ異常データ４２が個別に記録されることが望ましい。
【００５６】
ステップＳ４において、第３停止条件が成立した場合、即ち、第二温度の異常が検知された場合、マイクロコンピュータ３１は、図５に示される温度異常データ４３をメモリ３２に記録する。
【００５７】
温度異常データ４３は、第二温度の異常が検知されたときのランプ１１の累積点灯時間４２１と、そのときに第一温度センサ２１及び第二温度センサ２２によって検出される第一温度４３２及び第二温度４３３とが対応付けられたデータである。
【００５８】
温度異常データ４３は、第二温度の異常が検知されるごとに記録され、最新のＮ回分のデータがメモリ３２に残される。但し、ランプ１１が交換されるときに、温度異常データ４３は初期化される。
【００５９】
なお、温度異常データ４３が、第一温度の異常が検知さときのランプ１１の累積点灯時間４２１と、そのときの第一温度及び第二温度とを含むデータであることも考えられる。
【００６０】
なお、ステップＳ５において温度異常データ４３を記録する処理を行うマイクロコンピュータ３１は、第四温度記録部の一例である。即ち、マイクロコンピュータ３１は、第二温度センサ２２の検出温度が予め定められた条件を満たすごとの第二温度と累積点灯時間４３１とを相互に対応付けてメモリ３２に記録する。
【００６１】
ランプ１１の異常が検知されたときにランプ１１への給電を停止する理由は、故障が生じて電気的に短絡した状態となったランプ１１に対して過剰な電流が流れることを防止するためである。
【００６２】
また、第二温度の異常が検知されたときにランプ１１への給電を停止する理由は、ランプ１１の点灯を継続することによってランプ１１の故障が発生することを防止するためである。
【００６３】
＜ステップＳ７−Ｓ８＞
一方、ステップＳ２からＳ４の処理において、第１停止条件から第３停止条件のいずも成立しなかった場合、マイクロコンピュータ３１は、計時中の累積点灯時間が、予め定められた複数の検査時間各々を経過したか否かを判別する（Ｓ７）。複数の検査時間は、例えば、ランプ１１の仕様上の寿命時間である定格点灯時間Ｌｔを一定の時間間隔で区分した時間であることが考えられる。
【００６４】
なお、複数の検査時間は、必ずしも一定の時間間隔で設定されるとは限らない。例えば、複数の検査時間は、定格点灯時間Ｌｔを、定格点灯時間Ｌｔに近づくほど時間間隔が短くなるように区分した時間であることも考えられる。
【００６５】
そして、マイクロコンピュータ３１は、随時計算される累積点灯時間が、複数の検査時間各々を経過するごとの第一温度センサ２１及び第二温度センサ２２の検出温度を、図６に示される定時データ４４としてメモリ３２に記録する（Ｓ８）。定時データ４４に含められる第一温度及び第二温度は、それらの温度が検出されたときの累積点灯時間である検査時間を特定可能な形式でメモリ３２に記録される。なお、ステップＳ８において定時データ４４を記録する処理を行うマイクロコンピュータ３１は、第三温度記録部の一例である
【００６６】
＜定時に記録されるデータ＞
以下、図６に示されるデータ構成図を参照しつつ、ステップＳ８においてメモリ３２に記録される定時データ４４について説明する。
【００６７】
定時データ４４は、累積点灯時間が予め定められた複数の検査時間を経過するごとの温度センサ２１，２２の検出温度である第一温度４４１及び第二温度４４２が、その温度が検出されたときの累積点灯時間を特定可能な形式でメモリ３２に記録されるデータである。
【００６８】
図６に示される例では、複数の検査時間は、ランプ１１の仕様上の寿命時間である定格点灯時間Ｌｔを１０時間間隔で区分した時間である。そして、定時データ４４は、複数の検査時間各々に対応するデータの記録位置に記録された第一温度４４１及び第二温度４４２の各データを含む。即ち、図６に示される定時データ４４は、第一温度４４１及び第二温度４４２の各データの記録位置により、その温度が検出されたときの累積点灯時間を特定可能に構成されている。
【００６９】
なお、定時データ４４が、温度異常データ４３と同様に、第一温度４４１及び第二温度４４２とそれらの温度が検出されたときの累積点灯時間とが対応付けられたデータであることも考えられる。そのような形式の定時データ４４に含まれる第一温度４４１及び第二温度４４２も、それらの温度が検出されたときの累積点灯時間を特定可能な形式でメモリ３２に記録されているといえる。
【００７０】
＜ステップＳ９−Ｓ１０＞
また、ステップＳ２からＳ４の処理において、第１停止条件から第３停止条件のいずも成立しなかった場合、マイクロコンピュータ３１は、ステップＳ７の処理に加え、計時中の累積点灯時間がランプ１１の定格点灯時間Ｌｔを経過したか否かの判別処理を行う（Ｓ９）。
【００７１】
そして、累積点灯時間がランプ１１の定格点灯時間Ｌｔを経過している場合、マイクロコンピュータ３１は、警報処理を実行する（Ｓ１０）。この警報処理としては、例えば、不図示のブザーを通じて警報音を出力する処理、不図示の表示ランプもしくは表示パネルを通じて警告メッセージを出力する処理などが考えられる。
【００７２】
なお、累積点灯時間がランプ１１の定格点灯時間Ｌｔを経過している場合、マイクロコンピュータ３１が、映像出力ＯＦＦの操作が検知されたときと同様に、給電停止データ４１の記録（Ｓ５）及びランプ１１への給電の停止（Ｓ６）を行うことも考えられる。
【００７３】
そして、マイクロコンピュータ３１は、ランプ１１への給電の停止条件が成立するまで、ステップＳ２からステップＳ４までの処理と、ステップＳ７からステップＳ１０までの処理とを繰り返す。
【００７４】
＜効果＞
ランプ１１に対する給電が停止されるときに記録される給電停止データ４１は、最新の累積点灯時間４１１を含む。従って、ランプ１１の異常が発生した場合、給電停止データ４１は、ランプ１１の寿命時間である定格点灯時間Ｌｔを超える使用時間に原因があるのか、それ以外に原因があるのかの判断材料を提供する。このように、給電停止データ４１は、ランプ１１の異常の原因究明に寄与する。
【００７５】
また、ランプ異常データ４２は、ランプ１１が異常となった時点の装置内の温度の記録であり、ランプ１１の異常の直接的な原因の究明に寄与するデータである。
【００７６】
図７は、定時データ４４の具体例を示す図である。図７に示される例において、第一温度４４１（吸気温度）の適正範囲は５℃から３５℃までの範囲であり、第二温度４４２（ランプ温度）の目標値は８０℃であるとする。なお、図７において、"ブランク"と示されている部分は、未だ温度データが記録されていない部分である。
【００７７】
図７示される例では、ランプ１１の累積点灯時間が２０時間を経過したときに、第二温度４４２が目標値を大きく上回る温度まで上昇している。一方、同じ時点において、第一温度（吸気温度）は適正範囲内である。これらのことから、ランプ１１の累積点灯時間が２０時間を経過したときに、排気口が何らかの異物で塞がれ、ランプ１１の冷却が不十分となった結果、ランプ１１が高温になった可能性が高い。
【００７８】
また、前述したように、マイクロコンピュータ３１は、第一温度センサ２１の検出温度が適正範囲を超えると吸気ファン２３及び排気ファン２４の回転速度を上げてランプ１１の温度の上昇を防ぐ。しかしながら、図７に示される例では、ランプ１１の累積点灯時間が４０時間を経過したときに、第一温度４４１（吸気温度）が適正範囲を超えている。そのため、ランプ１１の冷却が不十分となり、第二温度４４２が、目標値を上回る温度まで上昇してしまった可能性が高い。
【００７９】
図７の例のように、累積点灯時間が既定時間を経過するごとに記録される定時データ４４は、ランプ１１が異常に至る過程における装置内の温度の変遷の記録であり、ランプ１１の異常の原因究明に寄与するデータである。
【００８０】
また、検出温度が予め定められた条件を満たすごとに記録される温度異常データ４３も、定時データ４４と同様に、ランプ１１が異常に至る過程における装置内の温度の変遷の記録であり、ランプ１１の異常の原因究明に寄与するデータである。特に、温度異常データ４３は、温度センサ２１，２２の検出温度が適正範囲から外れたときの情報、即ち、ランプ１１の異常との因果関係が深い情報のみがピックアップされたデータである。そのため、温度異常データ４３は、比較的小さなデータサイズで、重要な情報を提供することができる。
【００８１】
また、ランプ１１の異常が発生した場合、異常につながる温度の履歴が記録されていなければ、ランプ１１が、製造時の不純物の混入などによる不良品であることが推定される。
【００８２】
以上に示したように、マイクロコンピュータ３１によってメモリ３２に記録される温度の履歴データは、ランプ１１の異常の原因究明に大きく寄与する。その結果、ランプ１１の異常の原因究明が容易となる。
【００８３】
また、本実施形態においては、メモリ３２に記録される温度データに、吸気口の部分における第一温度と、排気口の部分における第二温度とが含まれる。これにより、ランプ１１の異常の原因が、外気の温度にあるのか、或いは、吸気口もしくは排気口が塞がれたことにあるのかを推定することが容易となり、ランプ１１の異常の原因究明がさらに容易となる。
【００８４】
＜その他＞
以上に示された実施形態の変形例として、マイクロコンピュータ３１が、給電停止データ４１、ランプ異常データ４２、温度異常データ４３及び定時データ４４のうちの１つ乃至３つのみをメモリ３４に記録する例も考えられる。
【００８５】
また、メモリ３４への温度データの記録が、温度センサ２１，２２の検出温度をトリガとして行われる例として、他の実施例も考えられる。例えば、温度センサ２１，２２の検出温度が、異常ではない程度で、適正範囲から外れた場合に、マイクロコンピュータ３１が、ランプ１１への給電の停止を行うことなく、温度異常データ４３と同様のデータをメモリ３２に記録することが考えられる。
【００８６】
また、以上に示された実施形態において、第一温度センサ２１が省略された構成、或いは、他の温度センサが、記録用の温度を検出する温度センサとして追加された構成なども考えられる。
【符号の説明】
【００８７】
１  投写型表示装置、１１  ランプ、１２，１５  集光レンズ、１３  カラーホイール、１４  ライトパイプ、１６  表示デバイス、１７  投写レンズ、２１  第一温度センサ、２２  第二温度センサ、２３  吸気ファン、２４  排気ファン、３１  マイクロコンピュータ、３２  メモリ（不揮発性メモリ）、３３  ランプ電源回路、３４  映像入力回路、３５  操作部、４１  給電停止データ、４２  ランプ異常データ、４３  温度異常データ、４４  定時データ、３３１  電流検出素子。
【図１】
2012141482.tif 000003
【図２】
2012141482.tif 000004
【図３】
2012141482.tif 000005
【図４】
2012141482.tif 000006
【図５】
2012141482.tif 000007
【図６】
2012141482.tif 000008
【図７】
2012141482.tif 000009